(57)【要約】【目的】  安全かつ燃料も要らず、故に公害を発生しない、環境を破壊しない動力発生装置を提供する。【構成】  天秤棒の両端や、回転円盤の外周に重りを取り付け、それらの回転中心点から設定どうりに重りを移動させることで、重りの作用点のバランスを崩し、それらの物体に動きを与える。この動きから動力エネルギーを得る。常識ではバランスを崩すエネルギーが、発生エネルギーより大きくなるため、この種の装置は成立しない。本動力発生装置に於いては、これらバランスを崩すエネルギーには、消費されて無くなるような燃料は使用していな。い。特殊な液体を密閉し、温度変化による膨脹力と伸縮力を応用して重りを移動させ、燃料が不要となる装置を構成する。【選択図】図１
2008075640.tif 000002
【特許請求の範囲】
【請求項１】
回転中心軸を天秤棒の中心に設け、その天秤棒の中心より等距離の両端に同質量の重りを取り付け、エネルギーの増幅システムを備えた構造の天秤棒。
【請求項２】
天秤棒の両端に取り付けた重りが設定どおりに動き、天秤棒の中心までの距離を設定どおりに変えることから、これらの重りが天秤棒に対する作用点を変える事で、天秤棒のバランスを崩すように造られた構造の請求項１記載の天秤棒。
【請求項３】
バランスを崩した天秤棒が設定方向に傾斜運動する事から最大限のエネルギーを取り出すために工夫された天秤棒を、支えるための支柱。
【請求項４】
請求項３の支柱を設置し、請求項１に記載する天秤棒と相俟ってエネルギーの増幅システムを備えた構造の支柱架台。
【請求項５】
本動力発生装置を駆動させるために利用される特殊な液体を加熱冷却するため、温水、冷水等を溜め、移動出来る構造で請求項４の支柱架台に設置された、複数個の液槽。
【請求項６】
天秤棒の両端に取り付けた重りを設定距離内で、自在に動かせるためのシリンダーとピストン及びそれらの作動原理システムの一式。
【請求項７】
天秤棒の往復傾斜運動と違って、一方向のみに回転運動させるため、本動力発生装置の作動原理システムと同じシステムを備えた回転円盤。
【請求項８】
請求項７に記載する回転円盤を備え、一方向のみに回転運動させることから、連続的に動力を取り出す構造の動力発生装置。
【発明の詳細な説明】
【発明の詳細な説明】
【産業上の利用分野】
【０００１】  本発明は、地球環境を破壊することなく、殆ど燃料を必要としないで、電力エネルギーを得る動力発生装置（原動機）に関するものである。
【背景技術】
【０００２】  従来、電力エネルギーを得る方法としては、ダムによる水力発電、化石燃料を消費する火力発電やジーゼル発電、核燃料を使用する原子力発電等がある。近来、自然エネルギーを利用した風力発電や太陽光発電等も増加しているが、いずれも、自然体系や環境の破壊等、又経済性、安全性等が問題となっている。
【発明が解決しようとする課題、及びその手段】
【０００３】  上記欠点を取り除くため、本発明の動力発生装置に於いては燃焼し、消費されて無くなるような化石燃料等は一切使用していない。そのため生態系や地球の環境破壊と言う難題をいっきに解決する事ができる。
【０００４】  本動力発生装置に於いて動力を取り出す手段としての燃料は、あえて言うなら重力である。即ち重力のある宇宙空間に無尽蔵に存在する重力エネルギーを利用している。本動力発生装置を作動させるための作動原理システム等に関し、次項実施例に於いて説明を続ける。
【実施例】
【０００５】  図１に従い、本発明の動力発生装置を説明する。１は左右に往復傾斜運動するように造られた天秤棒で回転中心軸２により支柱３に取り付けられ、この支柱は当然の事ながら支柱架台４に取り付けられている。この支柱架台は本動力発生装置のベース台座として、液槽５，６や発電装置７，８，及び仮想無重力スプリング９，１０，１１，１２等、本動力発生装置を作動させるための作動原理システム等の構造物の殆どが取り付けられている。【０００６】  図１は、天秤棒が右側へ傾斜し、エネルギーを取り出した後の天秤棒の制止行程を示している。天秤棒の両最先端には、シリンダーとピストン装置１３，１４が有る。本図面に於いては、天秤棒が右側に最大傾斜し、天秤棒最先端に位置するシリンダーとピストン装置１４が、ほぼその全体を液槽６に沈め、静止しているところを示している。この液槽６は、約５０度位の温湯で満されているためシリンダーとピストン装置１４は温められ、シリンダー内に少量注入されている特殊な液体が膨脹し、ガス化してシリンダーの内圧を上げピストンを押し出して行く。この時のピストンの力で点線で示した重り１５を、実線で示した重り１７へ、又点線で示した重り１６を、実線で示した重り１８へと同時に上昇移動させる構造になっている。因みに５０度の温湯は太陽熱で冷水は常温水でまかない、これら装置の加熱、冷却は、天秤棒の動きに同調させ、諸々設定どうりに繰り返す。【０００７】  点線で示した重り１５，１６は天秤棒の中心よりそれぞれ異なった所に位置していたので、天秤棒のバランスを崩し、右側に最大傾斜し、エネルギーを得たのである。今度は、いよいよ実線で示した重り１７と１８の相俟った作用で、天秤棒のバランスを崩し、左側、矢印方向へ傾斜する態勢である。天秤棒を制止させているロックを解除する事で左側に最大傾斜し、再びエネルギーを得ようと言うのである。これら一連の動作を繰り返すことから、有効なエネルギーを得る。【０００８】  天秤棒の先端にワイヤー１９，２０を取り付け、それでエネルギー増幅重りと称する重り２１，２２が吊り下げられ、前述の発電装置７，８内に組み込まれている。９，１０，１１，１２も前述したが、仮想無重力スプリングと称しているスプリングで、天秤棒の最大傾斜にともない、それぞれのエネルギー増幅重りの最大下死点を支えるため、エネルギー増幅重り受皿板２３，２４に取り付けられている。重りを設定範囲内で吊り上げ、その板上でこれらエネルギー増幅重りを受け、その時点でエネルギー増幅重りを無重力化、としている。【０００９】  重力はそれぞれ、重力エネルギーを持っている。特に重力位置エネルギー即ちポテンシャルエネルギーを持つ質量体を高い位置から落下させると大きなエネルギーを発生する。本動力発生装置に於いても、この重力位置エネルギーから有効エネルギーを取り出している。しかしながら、高い位置から質量体を落下させてエネルギーを取り出しても、落下させた質量体を又、元の位置まで戻さなければ連続してエネルギーを取り出すことはできない。元の位置まで戻すエネルギーが有効エネルギーとして取り出すエネルギーより大きくなることから。この種の動力発生装置は存在しないし、それらの理論も成立しないこと��なる。【００１０】  本動力発生装置は、落下させた質量体を又、元の位置まで戻すと言う作業に密閉された空間にある液体の膨脹力と、収縮力を利用している。そのためエネルギーを消費することが無く、故に、有効なエネルギーを取り出し続けるという事になる。しかも、天秤棒の傾斜時にともなうエネルギー増幅重りの加速度による落下エネルギーの増加、又同時進行での、仮想無重力スプリングによるその上昇エネルギーの減衰、これらの力学的物理現象を、天秤棒の往復傾斜運動に合わせて取り込み、無限域までエネルギーを増幅させることができる。因って有効エネルギーを取り出し続ける事が出来るのである。【００１１】  図２の回転円盤式に於ける動力発生装置について説明する。本回転円盤の外周には、６角形状に６個の重りが取り付けられていて、それぞれ対角線状の重りは回転中心軸より異なった位置にあり、回転円盤のバランスを崩すため、回転円盤を矢印の方向へ回転させる。この回転力からエネルギーを取り出すのである。作動棒，２６に取り付けられた、シリンダーとピストン装置１３，１４は回転円盤の回転に合わせて液槽を通過し、設定どうりに加熱、冷却を繰り返す。
【発明の効果】
【００１２】  本発明の方法および装置は次のような効果を奏するものである。
（１）本動力発生装置は重力をエネルギー源としているため燃料が要らず、そのため公害物質が発生しない。
（２）騒音も少なく、上記（１）と相俟って地球環境を破壊せず、地域社会、又、国家間的社会問題をも一掃できる。
（３）本動力発生装置は構造が簡単なため、安価で故障が少ない。
（４）放射性物質のような危険性がなく安全で、上記（１）と相俟って設置場所を選ばない。又そのため高圧送電線等も不要となる。
（５）熱エネルギー等を安価に、容易に供給でき、都市ガス、天然ガス等の持つ危険性や公害、輸送供給システムに係わる保守管理の巨大設備等の各問題をも解消できる。
【図面の簡単な説明】
【図１】  天秤棒式に於ける本動力発生装置の正面模式図である。
【図２】  回転円盤式に於ける動力発生装置の正面模式図である。
【符号の説明】
１                        天秤棒
２                        回転中心軸
３                        支柱
４                        支柱架台
５、６、２７              液槽
７、８                    発電装置
９、１０、１１、１２      仮想無重力スプリング
１３、１４                シリンダーとピストン装置
１５、１６                点線で示した重り
１７、１８                実線で示した重り
１９、２０                ワイヤー
２１、２２                エネルギー増幅重り
２３、２４                エネルギー増幅重り受皿板
２５                      回転円盤
２６                      作動棒
【図１】
2008075640.tif 000003
【図２】
2008075640.tif 000004